(57)【要約】      （修正有）【課題】測定基準抵抗との比較と電子アナログスイッチの切換を省略し、測定時間をかなり短くし、製品のコストを下げ、回路を簡単にし、回路の非干渉機能を強くし、回路の電力消費を軽減する。【解決手段】一対の入力電極と、一対の出力電極と、定電流源と、電圧測定ユニットと、操作工程ユニットと、を備えている。電圧測定ユニットは、定電圧源から人体を通過する電流によって生じる電圧を測定し、操作工程ユニットは、修正パラメータに基づいて、人体のインピーダンスを計算する。使用時において、標準抵抗の測定との比較と電子アナログスイッチの切換が省略されるので、測定時間が格段に短くなり、生産コストが下がり、回路が単純になり、回路の非干渉機能が強まり、回路の電力消費が低減される。人体のインピーダンスを測定する装置を用いる人体の脂肪測定装置も開示され、当該脂肪測定装置は、迅速かつ正確に、インピーダンスを人体の脂肪含有量に変換する。【選択図】図３
0003139431.tif 000002
【実用新案登録請求の範囲】
【請求項１】
人体のインピーダンスを測定するための装置において、
人体に接触され、人体に交流励磁電流を導入する一対の入力電極と、
人体に接触され、交流励磁電流により人体内で生じる電圧降下を検知する一対の出力電極と、
入力電極を介して、交流励磁電流を人体に供給する定電流源と、
励磁電流により人体内で生じる電圧降下を測定する電圧測定ユニットと、
修正パラメータを記憶するとともに、人体のインピーダンスを計算するよう、修正パラメータと電圧測定ユニットにより測定される電圧とを操作する操作工程ユニットと、を備え、
電圧測定ユニットが、定電圧源から人体を通過する電流により生じる電圧を測定し、かつ、操作工程ユニットが、電圧と修正パラメータとに基づいた人体のインピーダンスを計算することによって、人体のインピーダンスの計算が得られる、装置。
【請求項２】
人体脂肪測定装置において、
人体に接触され、人体に交流励磁電流を導入する一対の入力電極と、
人体に接触され、交流励磁電流により人体内で生じる電圧降下を検知する一対の出力電極と、
入力電極を介して、交流励磁電流を人体に供給する定電流源と、
励磁電流により人体内で生じる電圧降下を測定する電圧測定ユニットと、
修正パラメータを記憶するとともに、人体のインピーダンスを計算するよう、修正パラメータと電圧測定ユニットにより測定される電圧とを操作する操作工程ユニットと、を備え、
人体の脂肪含有量計算は、電圧測定ユニットが、定電圧源から人体を通過する電流により生じる電圧を測定することと、操作工程ユニットが、電圧と修正パラメータとに基づいた人体のインピーダンスを計算するとともに、操作工程ユニットに接続されたディスプレイユニットよって表示される人体の脂肪含有量を、人体のインピーダンス、人体パラメータおよび脂肪含有量の対応する関連に従って計算することとを含む、人体脂肪測定装置。
【請求項３】
操作工程ユニットに接続された体重測定ユニットをさらに備えた、請求項２による人体脂肪測定装置。
【請求項４】
修正パラメータは、少なくとも、定電流源の出力電流と零点電圧を含む、請求項１または２による装置。
【請求項５】
修正パラメータは、電圧と電流の温度補正係数をさらに含み、
操作工程ユニットは、環境温度に従って人体のインピーダンスを計算するよう、温度補正を実施する、請求項２による装置または請求項２による測定装置。
【請求項６】
修正パラメータは、負荷抵抗の振動によって定電流源からの出力電流が振動することから生じる誤りを補正するために、定電流源の駆動容量補正係数をさらに含む、請求項２による装置または請求項２による測定装置。
【請求項７】
修正パラメータは、負荷抵抗の振動による定電流源からの出力電流内での振動から生じる誤りを補正するために、定電流源の駆動容量補正係数をさらに含む、請求項３による装置または請求項２による測定装置。
【請求項８】
操作工程ユニットは、人体と、入力電極および出力電極との接触が最適であるかどうかを、入力電極で測定される電圧範囲に従って判断し、そのことに対応する表示を示す、請求項１による装置または請求項２による測定装置。
【請求項９】
電圧測定ユニットが、差動増幅器、整流器およびアナログ・デジタル変換器を含み、
出力電極の各々は、差動増幅器の非反転および反転入力部に接続され、
所定の大きさを有する交流電圧信号は、差動増幅器の出力部で得られ、
当該交流電圧信号は、対応する大きさを有する直流電圧信号が得られるよう、整流器内に入力され、
当該直流電圧信号は、対応するアナログ電圧信号をデジタル信号に変換するアナログ・デジタル変換器に送られ、
操作工程ユニットは、前記デジタル信号と修正パラメータに基づいた人体のインピーダンスを計算する、請求項１による装置または請求項２による測定装置。
【請求項１０】
アナログスイッチが、出力電極と差動増幅器との間で接続され、
当該スイッチの一側における末端は各々、差動増幅器の非反転および反転入力端部に接続され、
他側における末端は、入力電極または出力電極に接続され、
スイッチのコントロール末端は、操作工程ユニットに接続されている、請求項７による装置または測定装置。
【考案の詳細な説明】
【関連出願の状態】
【０００１】
本願は、２００６年８月１６日に提出された「人体のインピーダンス測定装置と、当該インピーダンス測定装置を用いた脂肪測定装置」という名称の中国特許出願200610037132.7号について優先権を主張し、当該中国特許出願200610037132.7号の全体は参照されて本願に組み込まれるものとする。
【技術分野】
【０００２】
本願は、人体のインピーダンスを測定する装置と、当該装置を用いた脂肪測定装置に関連している。
【背景技術】
【０００３】
科学的な方法で、脂肪含有量を測定することは、学術分野において長年の課題であった。現在、人体の脂肪を測定する方法として一般的に受け入れられている方法は、主に、次のタイプに分けられる。すなわち、ａ）人体の異なる部分が異なる量のＸ線を吸収することができるということに従って、脂肪含有量を測定する二重エネルギーＸ線吸収測定と、ｂ）二頭筋を照らす光ファイバから照射される低エネルギーを有する近赤外光を用いることにより、志望含有量を測定する、近赤外線による測定方法と、ｃ）特別な測定器を用いて、人体の異なる部分で皮下脂肪の厚みを測定し、式を用いて脂肪含有量を計算する肌測定器による測定法と、ｄ）人体の脂肪の比重が水の比重よりも小さいという原理に従い、脂肪含有量を測定する水中計量法とに分けられる。
【０００４】
不幸なことに、上述した方法は、高い技術が要求されるとか、操作が不便であるとか、計算が複雑であるとか、多かれ少なかれ様々な問題を有しているので、医療処理研究所のような専門的な研究所にだけ適しており、一般的な家族によって利用されることは困難である。
【０００５】
技術の発展とともに、人体の異なる組織が電流に対して異なるインピーダンスを有しているということに従って、人体を通過する低電圧電流を用いることにより、脂肪含有量を測定する生体インピーダンスを測定する方法が提案されている。この方法は、脂肪と水分量を簡単に測定するための単純かつ便利な方法であり、人々は自分の数値指数を知ることができるようになった。
【０００６】
図１に示すように、生体インピーダンスを測定することにより人体の脂肪を測定する現存する方法の基本的な原理は、定電流源により生成される一定の交流正弦波電流を人体および基準抵抗に加え、電圧検知器を用いて電流が人体を通過するときに生じる電圧降下を検知し、この電圧降下と電流が基準抵抗を通過するときに生じる電圧降下とを比較して、人体のインピーダンスを得て、最終的には特定の計算方法によって人体の脂肪含有量を計算する。特に、定電流源の出力端部は、一連の二つの基準抵抗（一つの抵抗値は約３００Ωであり、他方の抵抗値は約５００Ωである）と、測定される人体に接続され、前記基準抵抗と測定される人体は、両端で接触しており、電圧検知器の入力端部はアナログスイッチに接続されており、アナログスイッチの他方の接触部の各々は、基準抵抗の接触部と測定される人体の接触部に接続されており、各々、基準抵抗の電圧と測定される人体の電圧とを得るようになっている。オームの法則によると、電圧と抵抗との関係は直線関係ＲＸ＝（ＵＸ−Ｕ０）／Ｉ０となっている。図２を参照とすると、最初の電圧値Ｕ０と定電流源からの電流値Ｉ０は、基準抵抗の抵抗と対応する電圧値に従って計算され、人体のインピーダンスＲＸは、測定される人体の電圧ＵＸに従って計算される。
【０００７】
上述された方法によって製造される現存する製品には、以下の不利な点がある。すなわち、（１）各製品には、二つ以上の修正抵抗と、かなり多数の電子アナログスイッチが設けられており、複雑な回路であり、高いコストと弱い非干渉性となっている。（２）複数の修正抵抗を、製品を使うときには毎回、測定しなければならず、測定時間が長くなってしまっている。（３）修正抵抗が人体と直列に接続されているので、かなり高い総合ループ抵抗となり、電力供給電力をかなり高くする必要があるので、バッテリーを用いる供給電力には好ましくなく、電流値を減らさなければならず、しかも測定の正確性は最終的に影響を受け、省略歪み（clipping distortion）が簡単に起こり、測定結果に影響をあたえる。また、人体の脂肪を測定する現存する方法は、測定の間、両足の間の接触場所を変えないので、両足と測定電極との間の接触が不十分な場合には、測定結果が不正確になる。
【考案の開示】
【考案が解決しようとする課題】
【０００８】
本願の実施の形態の一つの態様は、人体のインピーダンスを測定する装置を提供し、測定基準抵抗との比較と電子アナログスイッチの切換を省略し、測定時間をかなり短くし、製品のコストを下げ、回路を簡単にし、回路の非干渉機能を強くし、回路の電力消費を軽減する。
【０００９】
本願の別の態様は、人体の脂肪測定装置を提供し、人体のインピーダンスを測定するための装置によってインピーダンスが測定された後、インピーダンスを人体の脂肪含有量に、迅速かつ正確に変換する。
【００１０】
上述した態様を達成するために、本願によって採用される技術的解決法は、以下のようになっている。
【課題を解決するための手段】
【００１１】
本願の実施の形態の第一の態様によれば、人体のインピーダンスを測定するための装置において、人体に接触され、人体に交流励磁電流を導入する一対の入力電極（１，１’）と、人体に接触され、交流励磁電流により人体内で生じる電圧降下を検知する一対の出力電極（２，２’）と、入力電極（１，１’）を介して、交流励磁電流を人体に供給する定電流源（３）と、励磁電流により人体内で生じる電圧降下を測定する電圧測定ユニット（４）と、修正パラメータを記憶するとともに、人体のインピーダンスを計算するよう、修正パラメータと電圧測定ユニット（４）により測定される電圧とを操作する操作工程ユニット（５）と、を備え、電圧測定ユニット（４）が、定電圧源（３）から人体を通過する電流により生じる電圧を測定し、かつ、操作工程ユニット（５）が、電圧と修正パラメータとに基づいた人体のインピーダンスを計算することによって、人体のインピーダンスの計算が実行される、装置を提供する。
【００１２】
修正パラメータは、少なくとも、定電流源の出力電流と零点電圧を含み、電圧と電流の温度補正係数も含んでおり、このことは、操作工程ユニット（５）が、環境温度に従って計算された人体のインピーダンスのために、温度補正を行うことを意味している。さらに、修正パラメータは、負荷抵抗の振動によって定電流源（５）の出力電流が振動することから生じる誤りを補正するために、定電流源の駆動容量補正係数も含んでいる。
【００１３】
操作工程ユニット（５）は、人体と、入力電極および出力電極（１，１’，２，２’）との接触が最適であるかどうかを、入力電極で測定される電圧範囲に従って判断し、そのことに対応する表示を示す。
【００１４】
電圧測定ユニット（４）が、差動増幅器（４１）、整流器（４２）およびアナログ・デジタル変換器（４３）を含んでいる。出力電極（２，２’）の各々は、差動増幅器（４１）の非反転および反転入力部に接続されている。所定の大きさを有する交流電圧信号は、差動増幅器（４１）の出力部で得られ、当該交流電圧信号は、対応する大きさを有する直流電圧信号が得られるよう、整流器（４２）内に入力され、当該直流電圧信号は、対応するアナログ電圧信号をデジタル信号に変換するアナログ・デジタル変換器（４３）に送られ、そして、操作工程ユニット（５）は、修正パラメータに従って、人体のインピーダンスを計算する。アナログスイッチ（６）が、出力電極（２，２’）と差動増幅器（４１）との間で接続され、当該スイッチの一側における末端は、差動増幅器（４１）の非反転および反転入力端部の各々に接続され、他側における末端は、入力電極（１，１’）または出力電極（２，２’）に接続され、スイッチ（６）のコントロール末端は、操作工程ユニット（５）に接続されている。
【００１５】
本願の実施の形態の別の態様によれば、本願の第一の態様による人体のインピーダンスを測定するための装置を組み入れた人体の脂肪測定装置であって、人体に接触され、人体に交流励磁電流を導入する一対の入力電極（１，１’）と、人体に接触され、交流励磁電流により人体内で生じる電圧降下を検知する一対の出力電極（２，２’）と、入力電極（１，１’）を介して、交流励磁電流を人体に供給する定電流源（３）と、励磁電流により人体内で生じる電圧降下を測定する電圧測定ユニット（４）と、修正パラメータを記憶するとともに、人体のインピーダンスを計算するよう、修正パラメータと電圧測定ユニット（４）により測定される電圧とを操作する操作工程ユニット（５）と、を備え、人体の脂肪含有量の計算が、電圧測定ユニット（４）が定電圧源（３）から人体を通過する電流により生じる電圧を測定し、操作工程ユニット（５）が電圧と修正パラメータとに基づいた人体のインピーダンスを計算し、そして、最終的には操作工程ユニット（５）に接続されたディスプレイユニット（７）よって表示される人体の脂肪含有量を、人体のインピーダンス、人体パラメータおよび脂肪含有量の対応する関連に従って計算する、ことによって実行される、人体脂肪測定装置が提供される。
【００１６】
選択的に、本願の実施の形態の第二の態様による人体の脂肪測定装置は、操作工程ユニット（５）に接続された体重測定ユニット（８）をさらに有している。
【００１７】
本願の実施の形態の好ましい効果は、従来の解決法で基準抵抗を用いる修正方法の欠点に関連し、本願の実施の形態は、前もって修正パラメータを記憶する修正方法を採用し、使用時に人体を通過する電流によって生じる電圧を検知し、メモリから修正パラメータを読み出し、人体のインピーダンスと電圧との直線関係に従って人体のインピーダンスを計算することだけが必要である。本願の実施の形態における方法において、基準抵抗の測定値との比較と電子アナログスイッチの切換が省略され、測定時間がかなり短くされ、製品のコストが下がり、回路が簡単になり、回路の非干渉機能が強くなり、回路の電力消費が軽減される。さらに、本願による実施の形態の装置が提供されるときに、環境温度における変化および定電流源の駆動容量の不足を含む、人体のインピーダンスの測定に影響を与える様々な影響要素が十分に考えられ、より正確な結果を作るよう、人体のインピーダンスの計算を修正するために、対応する影響パラメータが用いられる。さらに、本願の装置は、接触が最適であるかどうか、また、使用者が靴下をはいているかどうか、を入力電極を横切る電圧を測定することによって、判断もする。人体の脂肪測定装置は、人体のインピーダンスを測定する上述された装置によってインピーダンスが測定された後、インピーダンスを人体の脂肪含有量に、迅速かつ正確に変換する。
【００１８】
本願は、以下の実施の形態と添付された図面によって、さらに示される。
【考案を実施するための形態】
【００１９】
図３により、人体のインピーダンスを測定するための装置が示されており、当該装置は、人体に接触され、人体に励磁電流を導入する一対の入力電極１，１’と、人体に接触され、交流励磁電流により人体内で生じる電圧降下を検知する一対の出力電極２，２’と、入力電極１，１’を介して、交流励磁電流を人体に供給する定電流源３と、励磁電流により人体内で生じる電圧降下を測定する電圧測定ユニット４と、修正パラメータを記憶するとともに、人体のインピーダンスを計算するよう、修正パラメータと電圧測定ユニット４により測定される電圧とを操作する操作工程ユニット５と、を備えている。人体のインピーダンスの調整計算は以下のようにして実行される。すなわち、電圧測定ユニット４が、定電圧源３から人体を通過する電流により生じる電圧を測定し、かつ、操作工程ユニット５が、修正パラメータに従って人体のインピーダンスＲＸを計算する。
【００２０】
電圧測定ユニット４は、差動増幅器４１、整流器４２およびアナログ・デジタル変換器４３を含んでいる。出力電極２，２’の各々は、差動増幅器４１の非反転および反転入力端部に接続されている。所定の大きさを有する交流電圧信号は、差動増幅器４１の出力部で得られ、対応する大きさを有する直流電圧信号が得られるよう、整流器４２内に入力され、当該直流電圧信号は、対応するアナログ電圧信号をデジタル信号に変換するアナログ・デジタル変換器４３に送られ、そして、操作工程ユニット５は、当該デジタル信号と修正パラメータとに基づいた人体のインピーダンスＲＸを計算する。
【００２１】
操作工程ユニット５は、計算器５１とメモリ５２とを含んでいる。計算器５１は、電圧信号に応じたデジタル信号を得るために、電圧測定ユニット４の出力端部に接続されている。メモリ５２は計算器５１に接続され、そこに修正パラメータを記憶し、零点電圧と定電流源３からの出力電流値とを含んでいる。計算器５１は、電圧信号と人体のインピーダンスとの間の直線関係に従って、零点電圧Ｕ０と定電流源３の電流値Ｉ０とによって、人体のインピーダンスＲＸを算出する。
【００２２】
人体のインピーダンスを測定するための装置の操作工程および原理が、詳細に示される。
【００２３】
Ａ．パラメータ調整
図２に示すような、電圧と抵抗との間の直線関係ＲＸ＝（ＵＸ−Ｕ０）／Ｉ０より、パラメータの零点電圧Ｕ０と定電流源３からの出力電流の電流値Ｉ０とが調整される必要がある。最初に、図４に示すように、四つの電極、すなわち入力電極１，１’と出力電極２，２’とが短絡され、電圧測定ユニット４によって測定される電圧が零点電圧Ｕ０となる。この零点電圧Ｕ０は、操作工程ユニット５によってメモリ５２内に特定のアドレスで記憶される。次に、図５に示すように、入力電極１，１’と出力電極２，２’の各々が短絡されたとき、抵抗値が１００００の基準精密抵抗Ｒ０が入力電極１と出力電極２との間に接続され、電圧測定ユニット４によって測定される電圧がＵＲ０となる。オームの法則、すなわちＩ０＝（ＵＲ０−Ｕ０）／Ｒ０によると、定電流源３からの電流値Ｉ０が計算され、操作工程ユニット５によって、特定のアドレスでメモリ５２内に記憶される。
【００２４】
Ｂ．人体のインピーダンスの測定
測定が実施されると、人体の両足が、入力電極１，１’と出力電極２，２’に接触される。定電流源内で生成された電流は、入力電極１，１’を介して人体内に入力され、そして、電流が人体を通過するときに出力電極2, 2'の間で電圧降下が生じる。電圧測定ユニット４は、出力電極２，２’を横切る電圧ＵＸを測定し、その電圧を操作工程ユニット５に送り、その間、操作工程ユニット５は、メモリ５２から修正パラメータＩ０とＵ０を読み出し、式ＲＸ＝（ＵＸ−Ｕ０）／Ｉ０を用いて、人体のインピーダンスＲＸを計算する。
【００２５】
測定された修正パラメータは、装置が引き渡されるときに、製造業者によって、メモリ５２内に記載される。図６を参照とし、使用者が装置を使用しているときの温度が製造業者によって修正パラメータが記載されたときの温度と異なっている場合には、電圧測定ユニット４内の差動振幅器４１、整流器４２、アナログ・デジタル変換器４３などの電子的パラメータは温度の変化によって変動し、零点電圧Ｕ０と定電流源３からの電流値Ｉ０は変化する。
【００２６】
（１）電圧温度係数と電流温度係数を含む温度係数の修正
製造業者によってセットされた調整された温度がＴ０であり、使用者が装置を使用しているときの温度がＴ１であると想定したとき、装置が使用されているとき、零点電圧パラメータはＵ１であり、定電流源３の出力電流はＩ１である。
Ｕ１=Ｕ０［１＋（Ｔ１−Ｔ０）Ｋ１］,
Ｉ１=Ｉ０［１＋（Ｔ１−Ｔ０）Ｋ２］
ここで、Ｋ１，Ｋ２は各々、電圧温度係数と電流温度係数である。
【００２７】
（２）定電流源の駆動容量の補正
理想的には、異なる負荷に対して、定電流源３の駆動容量は一定であるべきであり、負荷抵抗で生じる電圧は抵抗に直線関係である。しかしながら、実際の測定において、負荷抵抗の変化とともに、定電流源３の出力電圧も変化し、定電流源３からの実際の出力電流は変化する。一般的に、定電流源３からの出力電流は、負荷抵抗が増加するときには、図６に示すように、減少する。定電流源３からの実際の出力電流を補正するよう、実際の出力電流と定電流源の出力電圧との間の関係は、負荷抵抗と、負荷抵抗で生じる電圧とを測定することによって計算される。
【００２８】
人体のインピーダンスＲＸを測定するとき、人体と電極との間の接触抵抗Ｒｃは、肌の湿り具合や、接触面積の大きさや、角皮症の厚みなどのような、様々な要因によって変化する。本願によって採用されるケルビンの橋は、測定結果に対する接触抵抗Ｒｃの影響を減らす。しかしながら、接触抵抗Ｒｃの増加は、定電流源からの出力電流における変化の原因となり、人体のインピーダンスＲＸの測定の正確性に有る程度影響を与え、より正確に測定するために、本願は、図７および図８に示すように、駆動容量を修正する技術を利用する。測定するとき、電圧測定ユニット４は、接触抵抗と人体を通過する定電流源３からの電流によって生じる総合電圧降下Ｕｃを測定するために、入力電極１，１’に接続される。定電流源３からの実際の出力電流値が所定の負荷の下Ｉ２であると想定し、温度影響要素が考慮されると、以下のようになる。
Ｉ２=Ｉ１［１＋（Ｕｃ−Ｕ１）Ｋ３］
ここで、Ｋ３は、電流駆動容量係数である。
【００２９】
最後に、人体のインピーダンスＲＸのための計算式はＲＸ＝（ＵＸ−Ｕ１）／Ｉ２であり、人体のインピーダンスＲＸは上述のＵ１、Ｕｃ、Ｉ１、Ｉ２を式内に代入することによって計算することができる。電圧温度係数Ｋ１、電流温度係数Ｋ２、および電流駆動容量係数Ｋ３の全ては、メモリ５２内に記憶されている。従って、使用時において、操作時の計算器５１は、電圧信号と人体のインピーダンスとの間の直線関係に温度修正を加えるために、電圧温度係数Ｋ１、電流温度係数Ｋ２、および電流駆動容量係数Ｋ３を使用する。
【００３０】
人体のインピーダンスＲＸを測定するとき、例えば靴下を履いている場合のように肌と電極との間の接触が不十分ならば、全体のループ抵抗が高くなり、定電流源３の理論的な出力電圧は操作時の実際の電圧範囲を超えることとなり、出力電流も一定でなくなり、省略歪み（clipping distortion）が発生し、測定結果に悪い影響を与える。このため、アナログスイッチ６が、出力電極２，２’と差動増幅器４１との間に接続されている。スイッチ６の一側における末端は各々、差動増幅器４１の非反転および反転入力端部に接続され、他側における末端は、入力電極１,１'または出力電極２，２’に接続され、スイッチ６のコントロール末端は、操作工程ユニット５に接続されている。使用時に、アナログスイッチ６は、入力電極１,１'を横切る電圧Ｕｃを検知するために、操作ユニット５のコントロール部を介して、入力電極１,１'に接続されている。この場合、検知された電圧Ｕｃは予め決まっていた電圧Ｕｍａｘよりも大きくなっており、それは、接触抵抗があまりにも大きく、すなわち、人体と電極との間の接触が不十分であることを意味し、操作工程ユニット５はそのことに対応した表示を示す。検知された抵抗Ｕｃが合理的な範囲内にある場合には、出力電極２，２’を横切る電圧Ｕｘを測定するために、アナログスイッチ６は操作工程ユニット５を介した出力電極２，２’に接続されており、操作工程ユニット５は人体のインピーダンスＲＸを計算する。
【００３１】
インピーダンスを測定する操作が可能な人体のインピーダンスを測定するための装置に基づいて、人体の脂肪測定装置を、人体のインピーダンスＲＸと人体の脂肪含有量との対応する関係に従って、作ることができる。図９に示すように、本実施の形態による人体脂肪測定装置は、人体に接触され、人体に交流励磁電流を導入する一対の入力電極１，１’と、人体に接触され、交流励磁電流により人体内で生じる電圧降下を検知する一対の出力電極２，２’と、入力電極１，１’を介して、一定の励磁電流を人体に供給する定電流源３と、励磁電流により人体内で生じる電圧降下を測定する電圧測定ユニット４と、修正パラメータを記憶するとともに、人体のインピーダンスを計算するよう、修正パラメータと電圧測定ユニット４により測定される電圧とを操作する操作工程ユニット５と、を備えている。人体のインピーダンスの脂肪含有量の計算を調整することは、以下のようにして実行される。すなわち、電圧測定ユニット４が定電圧源３から人体を通過する電流により生じる電圧を測定し、操作工程ユニット５が電圧と修正パラメータとに基づいた人体のインピーダンスＲＸを計算し、そして、最終的には操作工程ユニット５に接続されたディスプレイユニット７よって表示される人体の脂肪含有量を、人体のインピーダンスＲＸ、人体パラメータ（身長、体重など）および脂肪含有量の対応する関連に従って計算する。もちろん、人体のインピーダンスＲＸと脂肪含有量との間の変換関係は、人体の体重と関連している。このため、人体の脂肪測定装置は、さらなる入力を必要とせずに人体の重量パラメータを直接得るために、操作工程ユニット５に接続された体重測定ユニット８をさらに有している。
【００３２】
従来の解決法で基準抵抗を用いる修正方法の欠点の観点において、本願の実施の形態は、前もって修正パラメータを記憶する修正方法を採用し、使用時に、人体を通過する電流によって生じる電圧を検知し、メモリから修正パラメータを読み出し、人体のインピーダンスと電圧との直線関係に従って人体のインピーダンスを計算することだけが必要である。本願の実施の形態において、基準抵抗の測定値との比較と電子アナログスイッチの切換が省略され、測定時間がかなり短くされ、製品のコストが下がり、回路が簡単になり、回路の非干渉機能が強くなり、回路の電力消費が軽減される。環境温度における変化および定電流源の駆動容量の不足を含む、人体のインピーダンスの測定に影響を与える様々な影響要素も十分に考えられ、より正確な結果を作るよう、人体のインピーダンスの計算を修正するために、対応する影響パラメータが用いられる。さらに、本願の装置は、接触が最適であるかどうか、また、使用者が靴下をはいているかどうか、を入力電極１，１’を横切る電圧を測定することによって、判断もする。人体の脂肪測定装置は、人体のインピーダンスを測定する上述された装置によってインピーダンスが測定された後、インピーダンスを人体の脂肪含有量に、迅速かつ正確に変換する。
【図面の簡単な説明】
【００３３】
【図１】従来技術における人体のインピーダンスを測定するための装置の構成図。
【図２】電圧と抵抗との間の関係を示すグラフ図。
【図３】本願の実施の形態による人体のインピーダンスを測定するための装置の構成ブロック図。
【図４】本願の実施の形態による人体のインピーダンスを測定することによって零点電圧を調整する配線図。
【図５】本願の実施の形態による人体のインピーダンスを測定することによって定電流源からの出力電流を調整する配線図。
【図６】定電流源の出力電流と負荷抵抗との間の関連を示すグラフ図。
【図７】本願の実施の形態による人体のインピーダンスを測定することによって調整された定電流源の駆動容量補正係数の配線図。
【図８】温度と定電流源駆動容量によって修正された電圧と抵抗との間の関連を示すグラフ図。
【図９】本願の実施の形態による人体の脂肪測定装置の構成ブロック図。
【図１】
0003139431.tif 000003
【図２】
0003139431.tif 000004
【図３】
0003139431.tif 000005
【図４】
0003139431.tif 000006
【図５】
0003139431.tif 000007
【図６】
0003139431.tif 000008
【図７】
0003139431.tif 000009
【図８】
0003139431.tif 000010
【図９】
0003139431.tif 000011
【手続補正書】
【提出日】平成19年11月30日(2007.11.30)
【手続補正１】
【補正対象書類名】実用新案登録請求の範囲
【補正対象項目名】全文
【補正方法】変更
【補正の内容】
【実用新案登録請求の範囲】
【請求項１】
人体のインピーダンスを測定するための装置において、
人体に接触され、人体に交流励磁電流を導入する一対の入力電極と、
人体に接触され、交流励磁電流により人体内で生じる電圧降下を検知する一対の出力電極と、
入力電極を介して、交流励磁電流を人体に供給する定電流源と、
励磁電流により人体内で生じる電圧降下を測定する電圧測定ユニットと、
修正パラメータを記憶するとともに、人体のインピーダンスを計算するよう、修正パラメータと電圧測定ユニットにより測定される電圧とを操作する操作工程ユニットと、を備え、
電圧測定ユニットが、定電圧源から人体を通過する電流により生じる電圧を測定し、かつ、操作工程ユニットが、電圧と修正パラメータとに基づいた人体のインピーダンスを計算することによって、人体のインピーダンスの計算が得られる、装置。
【請求項２】
人体脂肪測定装置において、
人体に接触され、人体に交流励磁電流を導入する一対の入力電極と、
人体に接触され、交流励磁電流により人体内で生じる電圧降下を検知する一対の出力電極と、
入力電極を介して、交流励磁電流を人体に供給する定電流源と、
励磁電流により人体内で生じる電圧降下を測定する電圧測定ユニットと、
修正パラメータを記憶するとともに、人体のインピーダンスを計算するよう、修正パラメータと電圧測定ユニットにより測定される電圧とを操作する操作工程ユニットと、を備え、
人体の脂肪含有量計算は、電圧測定ユニットが、定電圧源から人体を通過する電流により生じる電圧を測定することと、操作工程ユニットが、電圧と修正パラメータとに基づいた人体のインピーダンスを計算するとともに、操作工程ユニットに接続されたディスプレイユニットよって表示される人体の脂肪含有量を、人体のインピーダンス、人体パラメータおよび脂肪含有量の対応する関連に従って計算することとを含む、人体脂肪測定装置。
【請求項３】
操作工程ユニットに接続された体重測定ユニットをさらに備えた、請求項２による人体脂肪測定装置。
【請求項４】
修正パラメータは、少なくとも、定電流源の出力電流と零点電圧を含む、請求項１または２による装置。
【請求項５】
修正パラメータは、電圧と電流の温度補正係数をさらに含み、
操作工程ユニットは、環境温度に従って人体のインピーダンスを計算するよう、温度補正を実施する、請求項１による装置または請求項２による測定装置。
【請求項６】
修正パラメータは、負荷抵抗の振動によって定電流源からの出力電流が振動することから生じる誤りを補正するために、定電流源の駆動容量補正係数をさらに含む、請求項１による装置または請求項２による測定装置。
【請求項７】
修正パラメータは、負荷抵抗の振動による定電流源からの出力電流内での振動から生じる誤りを補正するために、定電流源の駆動容量補正係数をさらに含む、請求項１による装置または請求項２による測定装置。
【請求項８】
操作工程ユニットは、人体と、入力電極および出力電極との接触が最適であるかどうかを、入力電極で測定される電圧範囲に従って判断し、そのことに対応する表示を示す、請求項１による装置または請求項２による測定装置。
【請求項９】
電圧測定ユニットが、差動増幅器、整流器およびアナログ・デジタル変換器を含み、
出力電極の各々は、差動増幅器の非反転および反転入力部に接続され、
所定の大きさを有する交流電圧信号は、差動増幅器の出力部で得られ、
当該交流電圧信号は、対応する大きさを有する直流電圧信号が得られるよう、整流器内に入力され、
当該直流電圧信号は、対応するアナログ電圧信号をデジタル信号に変換するアナログ・デジタル変換器に送られ、
操作工程ユニットは、前記デジタル信号と修正パラメータに基づいた人体のインピーダンスを計算する、請求項１による装置または請求項２による測定装置。
【請求項１０】
アナログスイッチが、出力電極と差動増幅器との間で接続され、
当該スイッチの一側における末端は各々、差動増幅器の非反転および反転入力端部に接続され、
他側における末端は、入力電極または出力電極に接続され、
スイッチのコントロール末端は、操作工程ユニットに接続されている、請求項７による装置または測定装置。